【手続補正書】
【提出日】平成18年5月11日(2006.5.11)
【手続補正１】
【補正対象書類名】特許請求の範囲
【補正対象項目名】全文
【補正方法】変更
【補正の内容】
【特許請求の範囲】
【請求項１】
映像信号に基づき光を変調する画像表示手段と、上記画像表示手段を照明する光源体とを備えている画像表示装置において、
上記光源体は、上記映像信号の１フレームにつき１回発せられるパルス成分ｉと、フレーム周波数より高い周波数にて発せられるパルス成分ｈとが混合された光によって、上記画像表示手段を照明することを特徴とする画像表示装置。
【請求項２】
上記パルス成分ｉの発光持続時間は、上記パルス成分ｈの発光持続時間よりも長いことを特徴とする請求項１に記載の画像表示装置。
【請求項３】
上記パルス成分ｈの発光開始時刻は、上記パルス成分ｉの発光開始時刻に対して、同期していない関係にあることを特徴とする請求項１または２に記載の画像表示装置。
【請求項４】
上記パルス成分ｈは、上記映像信号の１フレーム毎に２回以上発せられることを特徴とする請求項１ないし３のいずれか１項に記載の画像表示装置。
【請求項５】
上記パルス成分ｈは、臨界融合周波数より高い周波数にて発せられることを特徴とする請求項１ないし４のいずれか１項に記載の画像表示装置。
【請求項６】
上記パルス成分ｉと、上記パルス成分ｈとは、同一の電力を上記光源体に供給して発せられることを特徴とする請求項１ないし５のいずれか１項に記載の画像表示装置。
【請求項７】
上記光源体は、上記パルス成分ｉおよび上記パルス成分ｈの両方を発するものであることを特徴とする請求項１ないし６のいずれか１項に記載の画像表示装置。
【請求項８】
上記パルス成分ｉを発生させる信号と、上記パルス成分ｈを発生させる信号とを合成する論理回路を備えていることを特徴とする請求項１ないし７のいずれか１項に記載の画像表示装置。
【請求項９】
上記パルス成分ｉを発生させる回路と、上記パルス成分ｈを発生させる回路とは、いずれもディジタル回路で構成されており、
上記パルス成分ｈを発生させる回路のビット長は、上記パルス成分ｉを発生させる回路のビット長より短いことを特徴とする請求項１ないし８のいずれか１項に記載の画像表示装置。
【請求項１０】
上記パルス成分ｉおよび上記パルス成分ｈの周波数より高い周波数を有する信号を、上記パルス成分ｉを発生させる信号と上記パルス成分ｈを発生させる信号とが合成された信号に供給することを特徴とする請求項１ないし９のいずれか１項に記載の画像表示装置。
【請求項１１】
上記パルス成分ｈの発光持続時間を固定する一方、そのパルス成分ｈの周波数を増減する画質調整手段を備えていることを特徴とする請求項１ないし１０のいずれか１項に記載の画像表示装置。
【請求項１２】
上記パルス成分ｈの周波数を固定する一方、そのパルス成分ｈの発光持続時間を増減する画質調整手段を備えていることを特徴とする請求項１ないし１０のいずれか１項に記載の画像表示装置。
【請求項１３】
上記画像表示手段に画像が表示されている間、上記光源体を構成する複数のランプの全てが同時に点灯する時間がないことを特徴とする請求項１ないし１２のいずれか１項に記載の画像表示装置。
【請求項１４】
上記画像表示装置に有効な映像が表示されている間、上記光源体を構成するランプの全てが同時に消灯する時間がないことを特徴とする請求項１ないし１２のいずれか１項に記載の画像表示装置。
【請求項１５】
映像信号に基づき光を変調する画像表示手段と、上記画像表示手段を照明するＫ個（Ｋ≧２、Ｋは整数）の光源体とを備えている画像表示装置において、
上記Ｋ個の光源体は、互いに発光が独立に制御されるＮ個（２≦Ｎ≦Ｋ、Ｎは整数）の系統にグループ分けされているとともに、それぞれの系統から、上記映像信号の１フレームにつき１回発せられるパルス成分ｉと、フレーム周波数より高い周波数で発せられるパルス成分ｈとが混合された光を発して、上記画像表示手段を照明するものであって、
上記パルス成分ｉの発光開始時刻は、上記画像表示手段において映像が走査されるタイミングに応じて、上記Ｎ個の系統毎に制御されることを特徴とする画像表示装置。
【請求項１６】
上記パルス成分ｈは、上記Ｎ個の系統に関して、互いに発光開始時刻がずれるように制御されていることを特徴とする請求項１５の画像表示装置。
【請求項１７】
上記パルス成分ｈは、Ｍ個（２≦Ｍ≦Ｎ≦Ｋ、Ｍは整数）の系統に関して、互いに発光開始時刻がずれるように制御されていることを特徴とする請求項１５の画像表示装置。
【請求項１８】
上記画像表示手段に画像が表示されている間、上記光源体の全てが同時に点灯する時間がないことを特徴とする請求項１５ないし１７のいずれか１項に記載の画像表示装置。
【請求項１９】
上記画像表示装置に有効な映像が表示されている間、上記光源体の全てが同時に消灯する時間がないことを特徴とする請求項１５ないし１７のいずれか１項に記載の画像表示装置。
【請求項２０】
上記パルス成分ｉおよび上記パルス成分ｈの発生回路と、上記光源体の発光を制御するスイッチとの間に保護回路を備え、
上記発生回路は、上記光源体を発光させるべく複数の系統からなる点灯信号を上記保護回路へ出力し、
上記保護回路は、上記複数の系統からなる点灯信号に関して、同一の論理状態にある系統の数を数え、その系統の数が所定の許容値を超えていれば、上記光源体の一部または全てを消灯することを特徴とする請求項１５ないし１９のいずれか１項に記載の画像表示装置。
【請求項２１】
上記光源体の点灯を制御するスイッチと上記光源体との間に、電流制限素子を備えていることを特徴とする請求項１ないし２０のいずれか１項に記載の画像表示装置。
【請求項２２】
上記光源体の点灯を制御するスイッチと、上記光源体の点灯電力を供給する電源回路との間に、電流制限素子を備えていることを特徴とする請求項１ないし２１のいずれか１項に記載の画像表示装置。
【請求項２３】
上記電流制限素子は、無効電力を消費する受動素子であることを特徴とする請求項２１または２２に記載の画像表示装置。
【請求項２４】
映像信号に基づき光を変調する画像表示手段と、上記画像表示手段を照明するＫ個（Ｋ≧２、Ｋは整数）の光源体とを備えている画像表示装置において、
上記Ｋ個の光源体は、互いに発光が独立に制御されるＮ個（２≦Ｎ≦Ｋ、Ｎは整数）の系統にグループ分けされているとともに、それぞれの系統から、上記映像信号の１フレームにつき１回発せられるパルス成分ｉと、フレーム周波数より高い周波数にて発せられるパルス成分ｈとが混合された光を発して、上記画像表示手段を照明するものであって、
上記パルス成分ｈは、上記Ｎ個の系統に関して、互いに発光開始時刻がずれるように制御されていることを特徴とする画像表示装置。
【請求項２５】
上記パルス成分ｈの発生回路と、上記光源体の発光を制御するスイッチとの間に保護回路を備え、
上記発生回路は、上記光源体を発光させるべく複数の系統からなる点灯信号を上記保護回路へ出力し、
上記保護回路は、上記複数の系統からなる点灯信号に関して、同一の論理状態にある系統の数を数え、その系統の数が所定の許容値を超えていれば、上記光源体の一部またはすべてを消灯することを特徴とする請求項２４に記載の画像表示装置。
【請求項２６】
上記画像表示手段に画像が表示されている間、上記光源体の全てが同時に点灯する時間がないことを特徴とする請求項２４または２５に記載の画像表示装置。
【請求項２７】
上記画像表示装置に有効な映像が表示されている間、上記光源体の全てが同時に消灯する時間がないことを特徴とする請求項２４または２５に記載の画像表示装置。
【請求項２８】
上記光源体は、半導体発光素子であることを特徴とする請求項１ないし２７のいずれか１項に記載の画像表示装置。
【請求項２９】
上記半導体発光素子は、発光ダイオードであることを特徴とする請求項２８に記載の画像表示装置。
【請求項３０】
上記画像表示手段は、液晶パネルであることを特徴とする請求項１ないし２９のいずれか１項に記載の画像表示装置。
【請求項３１】
上記液晶パネルは透過型液晶パネルであり、
上記光源体は、上記透過型液晶パネルのバックライトを構成することを特徴とする請求項３０に記載の画像表示装置。
【請求項３２】
上記液晶パネルに設けられた能動素子により、その液晶パネルに接続された複数のゲートラインが順次走査されることを特徴とする請求項３０に記載の画像表示装置。
【請求項３３】
上記液晶パネルは、透過型液晶パネルであり、その透過型液晶パネルに設けられた能動素子により、その透過型液晶パネルに接続された複数のゲートラインが順次走査され、
上記光源体は、上記透過型液晶パネルのバックライトを構成することを特徴とする請求項３０に記載の画像表示装置。